(57)【要約】【課題】本発明は、体を屈曲させることが可能で穀粒移し替え作業が簡略容易であり、床面上に落下させた場合でも割れる危険性が少なく、更に、万一本体に割れ目が生じた場合でもその判別を容易に行うことができるような穀粒鑑定具を実現し提供する。【解決手段】本発明に係る穀粒鑑定具１は、柔軟性、復元性を有する材料により皿状に形成した本体２を具備し、この本体２は、皿状に形成した基体２ａと、この基体２ａの外周を覆う帯電防止仕様で基体２ａの内底面３を覆う領域３ａを滑面とした被覆層２ｂとを具備し、被覆層２ｂを白色、黒色又は青色のうちのいずれかの色とし、基体２ａの色を被覆層２ｂの色とは異なる色としたものである。【選択図】図３
2011214988.tif 000002
【特許請求の範囲】
【請求項１】
柔軟性、復元性を有する材料により皿状に形成した本体を具備する穀粒鑑定具であって、
前記本体は帯電防止仕様であり、前記本体の内底面を滑面としたことを特徴とする穀粒鑑定具。
【請求項２】
柔軟性、復元性を有する材料により皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記基体の色と被覆層の色とを異なる色としたことを特徴とする穀粒鑑定具。
【請求項３】
柔軟性、復元性を有する材料により皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記被覆層を白色、黒色又は青色のうちのいずれかの色とし、前記基体の色を前記被覆層の色とは異なる色としたことを特徴とする穀粒鑑定具。
【請求項４】
柔軟性、復元性を有する材料により丸皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記被覆層を白色、黒色又は青色のうちのいずれかの色とし、前記基体の色を前記被覆層の色とは異なる色としたことを特徴とする穀粒鑑定具。
【請求項５】
柔軟性、復元性を有する材料により四角皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記被覆層を白色、黒色又は青色のうちのいずれかの色とし、前記基体の色を前記被覆層の色とは異なる色としたことを特徴とする穀粒鑑定具。
【発明の詳細な説明】
【技術分野】
【０００１】
本発明は、穀粒鑑定具に関し、詳しくは、米粒や豆粒等のような穀粒の品質鑑定に使用して好適な皿状の穀粒鑑定具に関するものである。
【背景技術】
【０００２】
従来から米粒や豆粒等の穀粒の品質検査における作業現場において、カルトンと称される皿状の穀粒鑑定具が使用されている。
【０００３】
一般に使用されているカルトンは、硬質の樹脂材料で作られており、また、その形状は、丸型、正方形型、長方形型が一般的である。
【０００４】
丸型のカルトンの場合、直径１５０ｍｍ程度のものが一般的であるが、用途によって種々のサイズのものが使用されている。
【０００５】
ところで、カルトン上の穀粒試料を、例えば、開口部の小さい袋に入れる場合、従来の硬質の樹脂材料で作られたカルトンにおいては、その形状を例えばＵ字状等に変形することは困難であることから、スライダーのような器具を使用したり、一旦大きめの袋に入れた後に移し替えたりといった手間が必要となる。
【０００６】
また、従来の硬質の樹脂材料で作られたカルトンの場合、落下等の衝撃により割れることがあり、穀粒を扱う作業現場では割れた破片の一部が穀粒に混入する恐れがあり、好ましくない。
【０００７】
特許文献１には、例えば、板材をプレス絞り加工することによって皿状に形成したカルトンとして用いることができる蓋体を備えた籾摺装置が提案されている。
【０００８】
特許文献１の蓋体の場合も、硬質材料により形成されているものと推定され、その形状を例えばＵ字状等に変形することは困難であることから、穀粒移し替え作業の不便さを伴い、また、落下等の衝撃による割れの危険性も有するものと推定される。
【先行技術文献】
【特許文献】
【０００９】
【特許文献１】特開２０００−１８５２６１号公報
【発明の概要】
【発明が解決しようとする課題】
【００１０】
本発明が解決しようとする問題点は、本体を屈曲させることが可能で穀粒移し替え作業が簡略容易であり、床面上に落下させた場合でも割れる危険性が少なく、更に、万一本体に割れ目が生じた場合でもその判別を容易に行うことができるような穀粒鑑定具が存在しない点である。
【課題を解決するための手段】
【００１１】
本発明に係る穀粒鑑定具は、柔軟性、復元性を有する材料により皿状に形成した本体を具備する穀粒鑑定具であって、前記本体は帯電防止仕様であり、前記本体の内底面を滑面としたことを最も所有な特徴とする。
【発明の効果】
【００１２】
請求項１記載の発明によれば、本体を屈曲させることが可能で穀粒移し替え作業が簡略容易であり、床面上に落下させた場合でも割れる危険性が少なく、かつ、帯電防止仕様であり、本体の内底面を滑面としているので、穀粒の粒同士が重ならないように「ばらけ」させたり、穀粒同士の間隔を適度に離したりすることが容易となり、穀粒の鑑定作業の能率向上を図ることが可能な穀粒鑑定具を実現し提供することができる。
【００１３】
請求項２記載の発明によれば、請求項１記載の発明と同様の効果を奏することに加えて、前記本体は、皿状に形成した基体と、この基体の外周を覆う帯電防止仕様で基体の内底面を覆う領域を滑面とした被覆層とを具備し、前記基体の色と被覆層の色とを異なる色としているので、仮に本体に度重なる屈曲による劣化や落下等の衝撃によって裂け目や綻びが生じた場合でも、これらの有無を容易に視認し確認でき、交換時期の認識が容易な穀粒鑑定具を実現し提供することができる。
【００１４】
請求項３記載の発明によれば、請求項２記載の発明と同様の効果を奏することに加えて、前記本体は、皿状に形成した基体と、この基体の外周を覆う帯電防止仕様で基体の内底面を覆う領域を滑面とした被覆層とを具備し、前記被覆層を白色、黒色又は青色のうちのいずれかの色とし、前記基体の色を前記被覆層の色とは異なる色としているので、着色粒の鑑定用として、穀粒の艶や整粒の程度の鑑定用として、又は、穀粒の性状や整粒の程度の鑑定用として各々好適な穀粒鑑定具を実現し提供することができる。
【００１５】
請求項４記載の発明によれば、本体を丸皿状とした形態の基に、請求項３記載の発明と同様の効果を奏する穀粒鑑定具を実現し提供することができる。
【００１６】
請求項５記載の発明によれば、本体を四角皿状とした形態の基に、請求項３記載の発明と同様の効果を奏する穀粒鑑定具を実現し提供することができる。
【図面の簡単な説明】
【００１７】
【図１】図１は本発明の実施例１に係る丸皿状の穀粒鑑定具の平面図である。
【図２】図２は本実施例１に係る丸皿状の穀粒鑑定具の底面図である。
【図３】図３は本実施例１に係る丸皿状の穀粒鑑定具の断面図である。
【図４】図４は本実施例１に係る丸皿状の穀粒鑑定具において、本体に裂け目が生じた場合の当該裂け目の判別態様を示す説明図である。
【図５】図５は本実施例１に係る丸皿状の穀粒鑑定具の穀粒鑑定時の状態を示す概略平面図である。
【図６】図６は本実施例１に係る丸皿状の穀粒鑑定具の穀粒移し替え時における状態を示す概略斜視図である。
【図７】図７は本発明の実施例２に係る四角皿状の穀粒鑑定具の平面図である。
【図８】図８は本実施例２に係る四角皿状の穀粒鑑定具の底面図である。
【図９】図９は本実施例２に係る四角皿状の穀粒鑑定具の断面図である。
【図１０】図１０は本実施例２に係る四角皿状の穀粒鑑定具において、本体に裂け目が生じた場合の当該裂け目の判別態様を示す説明図である。
【図１１】図１１は本実施例２に係る四角皿状の穀粒鑑定具の穀粒鑑定時における状態を示す概略平面図である。
【図１２】図１２は本実施例２に係る四角皿状の穀粒鑑定具の穀粒移し替え時における状態を示す概略斜視図である。
【発明を実施するための形態】
【００１８】
本発明は、本体を屈曲させることが可能で穀粒移し替え作業が簡略容易であり、床面上に落下させた場合でも割れる危険性が少なく、更に、万一本体に割れ目が生じた場合でもその判別を容易に行うことができるような穀粒鑑定具を実現し提供するという目的を、柔軟性、復元性を有する材料により皿状に形成した本体を具備する穀粒鑑定具であって、前記本体は、皿状に形成した基体と、この基体の外周を覆う帯電防止仕様で基体の内底面を覆う領域を滑面とした被覆層とを具備し、前記基体の色と被覆層の色とを異なる色とした構成により実現した。
【実施例１】
【００１９】
以下、本発明の実施例１に係る穀粒鑑定具１について図１乃至図６を参照して詳細に説明する。
【００２０】
本実施例１に係る穀粒鑑定具１は、図１乃至図３に示すように、全体として丸皿状に構成したものであり、柔軟性、復元性を有する材料により形成した丸皿状の本体２を具備している。前記本体２は、丸皿状に形成した基体２ａと、この基体２ａの外周を覆う帯電防止仕様で基体２ａの円形の内底面３を覆う領域３ａを滑面とした樹脂材を用いた被覆層（コーティング層）２ｂとを具備し、前記基体２ａの色と、前記被覆層２ｂの色とを異なる色としている。
【００２１】
前記本体２を構成する被覆層２ｂは、帯電防止仕様に構成され、また、前記被覆層２ｂの色を白色、黒色又は青色のうちのいずれかの色としている。
【００２２】
以下、本実施例１に係る穀粒鑑定具１について更に詳述する。
【００２３】
前記本体２を構成する基体２ａの材質は、例えばポリオレフィン系軟質樹脂を用いており、このポリオレフィン系軟質樹脂を成形して丸皿状とし、これにより、例えば穀粒１０の鑑定を行う作業者が手で本体２を握るとＵ状又はＶ状に折れ曲がり、握り状態を解除すると基の平坦な皿状に戻る柔軟性、復元性を有する形態としている。
【００２４】
前記本体２のサイズとしては、例えば、直径１８ｃｍ、高さ３ｃｍの大型サイズ、直径１６ｃｍ、高さ２ｃｍの中型サイズ等の例を挙げることができる。
【００２５】
前記本体２を構成する被覆層２ｂは、例えば、そのコーティング時に帯電防止剤を混入させ、又は、成形後帯電防止仕様フッ素樹脂コーティングを施して、全体として本体２に入れる穀粒１０同士が仮に帯電している場合でも静電気で付かないような帯電防止仕様としている。
【００２６】
前記本体２における基体２ａの内底面３を覆う領域３ａは、本体２を軽く揺するとこの領域３ａ上の穀粒１０が滑る程度に、滑らかな面に仕上げている。
【００２７】
これは、穀粒１０の鑑定現場において、多数の穀粒１０を見易くするため、軽く本体２を揺すって多数の穀粒１０の粒同士が重ならないように「ばらけ」させたり、穀粒１０同士の間隔を適度に離したりするためである。
【００２８】
本実施例１に係る穀粒鑑定具１においては、上述したように、前記基体２ａの外周を覆う被覆層２ｂにより形成される円形の領域３ａ、周囲壁面４、さらには、外面５を白色、黒色又は青色のうちのいずれかの色としている。
【００２９】
前記被覆層２ｂを白色とする穀粒鑑定具１を得るためには、例えば、赤色、黄色、灰色等の樹脂材により円形の基体２ａを成形した後、基体２ａの外周に無色透明の樹脂材料に白色の染顔料を加えた樹脂材をコーティングする例を挙げることができる。
【００３０】
また、前記被覆層２ｂを黒色とする穀粒鑑定具１を得るためには、例えば、赤色、黄色、灰色等の樹脂材により円形の基体２ａを成形した後、基体２ａの外周に無色透明の樹脂材料に黒色の染顔料を加えた樹脂材をコーティングする例を挙げることができる。
【００３１】
更に、前記被覆層２ｂを青色とする穀粒鑑定具１を得るためには、例えば、赤色、黄色、灰色等の樹脂材により円形の基体２ａを成形した後、基体２ａの外周に無色透明の樹脂材料に青色の染顔料を加えた樹脂材をコーティングする例を挙げることができる。
【００３２】
これらの場合に、上述したような帯電防止処理を併せて施すことは言うまでもない。
【００３３】
なお、前記本体２のサイズは、上述した場合に限定されるものではなく、その直径、高さのサイズは種々に設定することができる。
【００３４】
上述した本実施例１に係る穀粒鑑定具１によれば、以下の作用、効果を奏する。
【００３５】
すなわち、本実施例１に係る穀粒鑑定具１によれば、丸皿状の本体２における円形の内底面３を覆う領域３ａ及びその周囲の周囲壁面４を白色とすることで、例えば、穀粒である精米の病虫害に起因する着色粒の鑑定用として使用することができる。
【００３６】
また、本体２の円形の内底面３を覆う領域３ａ及びその周囲の周囲壁面４を黒色とすることで、例えば、穀粒１０の艶や整粒の程度の鑑定用として使用することができる。
【００３７】
更に、本体２の円形の内底面３を覆う領域３ａ及びその周囲の周囲壁面４を青色とすることで、例えば、穀粒１０の性状や整粒の程度の鑑定用として使用することができる。
【００３８】
次に、本実施例１に係る穀粒鑑定具１によれば、前記本体２の円形の内底面３を覆う領域３ａを滑らかな面にすることで、図５に示すように、軽く本体２を揺すって多数の穀粒１０の粒同士が重ならないように「ばらけ」させたり、穀粒１０同士の間隔を適度に離したりすることが容易となり、穀粒１０の鑑定作業の能率向上を図ることができる。
【００３９】
また、前記本体２を構成する被覆層２ｂを帯電防止仕様としたことで、本体２に入れる穀粒１０同士が仮に帯電している場合でも、静電気による穀粒１０同士の付着を防止でき、この点からも穀粒１０の鑑定作業の能率向上を図ることができる。
【００４０】
更に、前記本体２を、穀粒１０の鑑定を行う作業者が手で握ることでＵ状又はＶ状に折れ曲がり、握り状態を解除すると基の平坦な皿状に戻る柔軟性、復元性を有する形態としているので、図６に示すように穀粒１０を入れた本体２をＵ状又はＶ状に折り曲げつつ他の容器６（又は袋）へ穀粒１０を移し替えることができ、従来のようにスライダーのような器具を使用したり、一旦大きめの袋に入れた後に移し替えたりといった煩雑な手間を回避することができ、穀粒１０の鑑定作業から次の作業への移行工程の容易化、迅速化を実現できる。
【００４１】
加えて、前記本体２を柔軟性、復元性を有する形態としているので、落下等の衝撃により本体２が割れることを回避でき、穀粒１０を扱う作業現場において割れた破片の一部が穀粒１０に混入するという不都合な事態発生を無くすことができる。
【００４２】
更にまた、前記基体２ａの色と、前記被覆層２ｂの色とを異なる色としているので、図４に示すように、仮に前記本体２に度重なる屈曲による劣化や落下等の衝撃によって裂け目７（又は綻び）が生じた場合でも、裂け目７の部分において裂けた被覆層２ｂ内部の基体２ａが表出し、例えば被覆層２ｂの色が白、基体２ａの色が赤色というように明らかに異なる色として視認できるので、裂け目７の有無を容易に視認し判別でき、穀粒鑑定具１自体の交換時期の認識が容易となる。
【実施例２】
【００４３】
以下、本発明の実施例２に係る穀粒鑑定具１１について、図７乃至図１２を参照して詳細に説明する。
【００４４】
本実施例２に係る穀粒鑑定具１１は、図７乃至図９に示すように、全体として四角皿状に構成したものであり、柔軟性、復元性を有する材料により形成した四角皿状の本体１２を具備している。
【００４５】
なお、本実施例２においては、実施例１の場合と重複する説明も存在するが、本実施例２に係る穀粒鑑定具１１の内容を明確にするため、以下に詳述する。
【００４６】
前記本体１２は、四角皿状に形成した基体１２ａと、この基体１２ａの外周を覆う帯電防止仕様で基体１２の内底面１３を覆う領域１３ａを滑面とした樹脂材を用いた被覆層（コーティング層）１２ｂとを具備し、前記基体１２ａの色と、前記被覆層１２ｂの色とを異なる色としている。
【００４７】
以下、本実施例２に係る穀粒鑑定具１１について更に詳述する。
【００４８】
前記本体１２の材質は、例えば、ポリオレフィン系軟質樹脂を用いており、このポリオレフィン系軟質樹脂を成形して四角皿状とし、これにより、例えば穀粒１０の鑑定を行う作業者が手で本体１２を握るとＵ状又はＶ状に折れ曲がり、握り状態を解除すると基の平坦な皿状に戻る柔軟性、復元性を有する形態としている。
【００４９】
前記本体１２のサイズとしては、例えば、幅１８ｃｍ、奥行き１３ｃｍ、高さ２ｃｍの長方形大型、幅１２ｃｍ、奥行き８ｃｍ、高さ１ｃｍの長方形小型、幅１５ｃｍ、奥行き１５ｃｍ、高さ２ｃｍの正方形大型、幅１０ｃｍ、奥行き１０ｃｍ、高さ１ｃｍの正方形小型等の例を挙げることができる。
【００５０】
前記本体１２を構成する被覆層１２ｂは、例えば、そのコーティング時に帯電防止剤を混入させ、又は、成形後帯電防止仕様フッ素樹脂コーティングを施して、全体として本体２に入れる穀粒１０同士が仮に帯電している場合でも静電気で付かないような帯電防止仕様としている。
【００５１】
前記本体１２の四角形の内底面１３を覆う領域１３ａは、本体１２を軽く揺するとこの領域１３ａ上の穀粒１０が滑る程度に、滑らかな面に仕上げている。
【００５２】
これは、穀粒１０の鑑定現場において、多数の穀粒１０を見易くするため、軽く本体１２を揺すって多数の穀粒１０の粒同士が重ならないように「ばらけ」させたり、穀粒１０同士の間隔を適度に離したりするためである。
【００５３】
本実施例２に係る穀粒鑑定具１１においては、上述したように、前記基体１２ａの外周を覆う被覆層１２ｂにより形成される四角形の領域１３ａ、周囲壁面１４、さらには、外面１５を白色、黒色又は青色のうちのいずれかの色としている。
【００５４】
前記被覆層１２ｂを白色とする穀粒鑑定具１１を得るためには、例えば、赤色、黄色、灰色等の樹脂材により四角形の基体１２ａを成形した後、基体１２ａの外周に無色透明の樹脂材料に白色の染顔料を加えた樹脂材をコーティングする例を挙げることができる。
【００５５】
前記被覆層１２ｂを黒色とする穀粒鑑定具１１を得るためには、例えば、赤色、黄色、灰色等の樹脂材により四角形の基体１２ａを成形した後、基体１２ａの外周に無色透明の樹脂材料に黒色の染顔料を加えた樹脂材をコーティングする例を挙げることができる。
【００５６】
更に、前記被覆層１２ｂを青色とする穀粒鑑定具１１を得るためには、例えば、赤色、黄色、灰色等の樹脂材により四角形の基体１２ａを成形した後、基体１２ａの外周に無色透明の樹脂材料に青色の染顔料を加えた樹脂材をコーティングする例を挙げることができる。
【００５７】
これらの場合に、上述したような帯電防止処理を併せて施すことは言うまでもない。
【００５８】
尚、前記本体１２のサイズは、上述した場合に限定されるものではなく、その幅、奥行き、高さのサイズは種々に設定することができる。
【００５９】
上述した本実施例２に係る穀粒鑑定具１１によれば、以下の作用、効果を奏する。
【００６０】
すなわち、本実施例２に係る穀粒鑑定具１１によれば、四角皿状の本体１２における四角形の内底面１３を覆う領域１３ａ及びその周囲の周囲壁面１４を白色とすることで、例えば、穀粒である精米の病虫害に起因する着色粒の鑑定用として使用することができる。
【００６１】
また、前記本体１２の四角形の内底面１３を覆う領域１３ａ及びその周囲の周囲壁面１４を黒色とすることで、例えば、穀粒１０の艶や整粒の程度の鑑定用として使用することができる。
【００６２】
更に、前記本体１２の四角形の内底面１３を覆う領域１３ａ及びその周囲の周囲壁面１４を青色とすることで、例えば、穀粒１０の性状や整粒の程度の鑑定用として使用することができる。
【００６３】
次に、本実施例２に係る穀粒鑑定具１１によれば、前記本体１２の四角形の内底面１３を覆う領域１３ａを滑らかな面にすることで、図１１に示すように、軽く本体１２を揺すって多数の穀粒１０の粒同士が重ならないように「ばらけ」させたり、穀粒１０同士の間隔を適度に離したりすることが容易となり、穀粒１０の鑑定作業の能率向上を図ることができる。
【００６４】
また、前記本体１２を構成する被覆層１２ｂを帯電防止仕様としたことで、本体１２に入れる穀粒１０同士が仮に帯電している場合でも、静電気による穀粒１０同士の付着を防止でき、この点からも穀粒１０の鑑定作業の能率向上を図ることができる。
【００６５】
更に、前記本体１２を、穀粒１０の鑑定を行う作業者が手で握ることでＵ状又はＶ状に折れ曲がり、握り状態を解除すると基の平坦な皿状に戻る柔軟性、復元性を有する形態としているので、図１２に示すように穀粒１０を入れた本体１２をＵ状又はＶ状に折り曲げつつ他の容器６（又は袋）へ穀粒１０を移し替えることができ、従来のようにスライダーのような器具を使用したり、一旦大きめの袋に入れた後に移し替えたりといった煩雑な手間を回避することができ、穀粒１０の鑑定作業から次の作業への移行工程の容易化、迅速化を実現できる。
【００６６】
加えて、前記本体１２を柔軟性、復元性を有する形態としているので、落下等の衝撃により本体１２が割れることを回避でき、穀粒１０を扱う作業現場において割れた破片の一部が穀粒１０に混入するという不都合な事態発生を無くすことができる。
【００６７】
更にまた、前記基体１２ａの色と、前記被覆層１２ｂの色とを異なる色としているので、図１０に示すように、仮に前記本体１２に度重なる屈曲による劣化や落下等の衝撃によって裂け目７（又は綻び）が生じた場合でも、裂け目７の部分において裂けた被覆層１２ｂ内部の基体１２ａが表出し、例えば被覆層１２ｂの色が白、基体１２ａの色が赤色というように明らかに異なる色として視認できるので、裂け目７の有無を容易に視認し判別でき、穀粒鑑定具１１自体の交換時期の認識が容易となる。
【００６８】
なお、上述した実施例１、２においては、丸皿状の穀粒鑑定具１、四角皿状の穀粒鑑定具１１について説明したが、本発明における穀粒鑑定具自体の形状はこれらに限定されるものではなく、例えば楕円形状の皿、六角形状の皿等としても実施可能である。
【産業上の利用可能性】
【００６９】
本発明の穀粒鑑定具は、穀粒である精米、籾、更には、麦粒、豆粒等の品質鑑定用として広範に適用可能である。
【符号の説明】
【００７０】
１    穀粒鑑定具
２    本体
２ａ  基体
２ｂ  被覆層
３    内底面
３ａ  領域
４    周囲壁面
５    外面
６    容器
７    裂け目
１０    穀粒
１１    穀粒鑑定具
１２    本体
１２ａ  基体
１２ｂ  被覆層
１３    内底面
１３ａ  領域
１４    周囲壁面
１５    外面
【図１】
2011214988.tif 000003
【図２】
2011214988.tif 000004
【図３】
2011214988.tif 000005
【図４】
2011214988.tif 000006
【図５】
2011214988.tif 000007
【図６】
2011214988.tif 000008
【図７】
2011214988.tif 000009
【図８】
2011214988.tif 000010
【図９】
2011214988.tif 000011
【図１０】
2011214988.tif 000012
【図１１】
2011214988.tif 000013
【図１２】
2011214988.tif 000014
【手続補正書】
【提出日】平成22年11月4日(2010.11.4)
【手続補正１】
【補正対象書類名】明細書
【補正対象項目名】００１２
【補正方法】変更
【補正の内容】
【００１２】
請求項１記載の発明によれば、前記本体を、手で握ると変形して折れ曲がり、握り状態を解除すると基の形状に戻る柔軟性、復元性を有する形態の軟質樹脂材をもって皿状に形成した基体から構成しているので、本体を屈曲させることが可能で穀粒移し替え作業が簡略容易であり、床面上に落下させた場合でも割れる危険性が少なく、かつ、帯電防止仕様であり、本体の内底面を滑面としているので、穀粒の粒同士が重ならないように「ばらけ」させたり、穀粒同士の間隔を適度に離したりすることが容易となり、穀粒の鑑定作業の能率向上を図ることが可能な穀粒鑑定具を実現し提供することができる。
【手続補正２】
【補正対象書類名】特許請求の範囲
【補正対象項目名】請求項１
【補正方法】変更
【補正の内容】
【請求項１】
柔軟性、復元性を有する材料により皿状に形成した本体を具備する穀粒鑑定具であって、
前記本体は、手で握ると変形して折れ曲がり、握り状態を解除すると基の形状に戻る柔軟性、復元性を有する形態の軟質樹脂材をもって皿状に形成した基体からなることを特徴とし、かつ、前記基体は、平坦な底面を持ちその周囲に壁面を形成したとともに、帯電防止仕様でその内底面を滑面としたことを特徴とする穀粒鑑定具。
【手続補正書】
【提出日】平成22年12月15日(2010.12.15)
【手続補正１】
【補正対象書類名】手続補正書
【補正対象項目名】手続補正２
【補正方法】変更
【補正の内容】
【手続補正２】
【補正対象書類名】特許請求の範囲
【補正対象項目名】全文
【補正方法】変更
【補正の内容】
【特許請求の範囲】
【請求項１】
柔軟性、復元性を有する材料により皿状に形成した本体を具備する穀粒鑑定具であって、
前記本体は、手で握ると変形して折れ曲がり、握り状態を解除すると基の形状に戻る柔軟性、復元性を有する形態の軟質樹脂材をもって皿状に形成した基体からなることを特徴とし、かつ、前記基体は、平坦な底面を持ちその周囲に壁面を形成したとともに、帯電防止仕様でその内底面を滑面としたことを特徴とする穀粒鑑定具。
【請求項２】
柔軟性、復元性を有する材料により皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記基体の色と被覆層の色とを異なる色としたことを特徴とする穀粒鑑定具。
【請求項３】
柔軟性、復元性を有する材料により皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記被覆層を白色、黒色又は青色のうちのいずれかの色とし、前記基体の色を前記被覆層の色とは異なる色としたことを特徴とする穀粒鑑定具。
【請求項４】
柔軟性、復元性を有する材料により丸皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記被覆層を白色、黒色又は青色のうちのいずれかの色とし、前記基体の色を前記被覆層の色とは異なる色としたことを特徴とする穀粒鑑定具。
【請求項５】
柔軟性、復元性を有する材料により四角皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記被覆層を白色、黒色又は青色のうちのいずれかの色とし、前記基体の色を前記被覆層の色とは異なる色としたことを特徴とする穀粒鑑定具。
【手続補正書】
【提出日】平成23年1月28日(2011.1.28)
【手続補正１】
【補正対象書類名】明細書
【補正対象項目名】全文
【補正方法】変更
【補正の内容】
【発明の詳細な説明】
【技術分野】
【０００１】
本発明は、穀粒鑑定具に関し、詳しくは、米粒や豆粒等のような穀粒の品質鑑定に使用して好適な皿状の穀粒鑑定具に関するものである。
【背景技術】
【０００２】
従来から米粒や豆粒等の穀粒の品質検査における作業現場において、カルトンと称される皿状の穀粒鑑定具が使用されている。
【０００３】
一般に使用されているカルトンは、硬質の樹脂材料で作られており、また、その形状は、丸型、正方形型、長方形型が一般的である。
【０００４】
丸型のカルトンの場合、直径１５０ｍｍ程度のものが一般的であるが、用途によって種々のサイズのものが使用されている。
【０００５】
ところで、カルトン上の穀粒試料を、例えば、開口部の小さい袋に入れる場合、従来の硬質の樹脂材料で作られたカルトンにおいては、その形状を例えばＵ字状等に変形することは困難であることから、スライダーのような器具を使用したり、一旦大きめの袋に入れた後に移し替えたりといった手間が必要となる。
【０００６】
また、従来の硬質の樹脂材料で作られたカルトンの場合、落下等の衝撃により割れることがあり、穀粒を扱う作業現場では割れた破片の一部が穀粒に混入する恐れがあり、好ましくない。
【０００７】
特許文献１には、例えば、板材をプレス絞り加工することによって皿状に形成したカルトンとして用いることができる蓋体を備えた籾摺装置が提案されている。
【０００８】
特許文献１の蓋体の場合も、硬質材料により形成されているものと推定され、その形状を例えばＵ字状等に変形することは困難であることから、穀粒移し替え作業の不便さを伴い、また、落下等の衝撃による割れの危険性も有するものと推定される。
【先行技術文献】
【特許文献】
【０００９】
【特許文献１】特開２０００−１８５２６１号公報
【発明の概要】
【発明が解決しようとする課題】
【００１０】
本発明が解決しようとする問題点は、本体を屈曲させることが可能で穀粒移し替え作業が簡略容易であり、床面上に落下させた場合でも割れる危険性が少なく、更に、万一本体に割れ目が生じた場合でもその判別を容易に行うことができるような穀粒鑑定具が存在しない点である。
【課題を解決するための手段】
【００１１】
本発明に係る穀粒鑑定具は、柔軟性、復元性を有する材料により皿状に形成した本体を具備する穀粒鑑定具であって、前記本体は帯電防止仕様であり、皿状に形成した基体と、この基体の外周を覆う帯電防止仕様で基体の内底面を覆う領域を滑面とした被覆層とを具備し、基体の色と被覆層の色とを異なる色としたことを主な特徴とするものである。
【発明の効果】
【００１２】
削除  
【００１３】
請求項１記載の発明によれば、本体を屈曲させることが可能で穀粒移し替え作業が簡略容易であり、床面上に落下させた場合でも割れる危険性が少なく、かつ、帯電防止仕様であり、本体の内底面を滑面としているので、穀粒の粒同士が重ならないように「ばらけ」させたり、穀粒同士の間隔を適度に離したりすることが容易となり、穀粒の鑑定作業の能率向上を図ることが可能な穀粒鑑定具を実現し提供することができ、更に、前記本体は、皿状に形成した基体と、この基体の外周を覆う帯電防止仕様で基体の内底面を覆う領域を滑面とした被覆層とを具備し、前記基体の色と被覆層の色とを異なる色としているので、仮に本体に度重なる屈曲による劣化や落下等の衝撃によって裂け目や綻びが生じた場合でも、これらの有無を容易に視認し確認でき、交換時期の認識が容易な穀粒鑑定具を実現し提供することができる。
【００１４】
請求項２記載の発明によれば、請求項１記載の発明と同様の効果を奏することに加えて、前記本体は、皿状に形成した基体と、この基体の外周を覆う帯電防止仕様で基体の内底面を覆う領域を滑面とした被覆層とを具備し、前記被覆層を白色、黒色又は青色のうちのいずれかの色とし、前記基体の色を前記被覆層の色とは異なる色としているので、着色粒の鑑定用として、穀粒の艶や整粒の程度の鑑定用として、又は、穀粒の性状や整粒の程度の鑑定用として各々好適な穀粒鑑定具を実現し提供することができる。
【００１５】
請求項３記載の発明によれば、本体を丸皿状とした形態の基に、請求項２記載の発明と同様の効果を奏する穀粒鑑定具を実現し提供することができる。
【００１６】
請求項４記載の発明によれば、本体を四角皿状とした形態の基に、請求項２記載の発明と同様の効果を奏する穀粒鑑定具を実現し提供することができる。
【図面の簡単な説明】
【００１７】
【図１】図１は本発明の実施例１に係る丸皿状の穀粒鑑定具の平面図である。
【図２】図２は本実施例１に係る丸皿状の穀粒鑑定具の底面図である。
【図３】図３は本実施例１に係る丸皿状の穀粒鑑定具の断面図である。
【図４】図４は本実施例１に係る丸皿状の穀粒鑑定具において、本体に裂け目が生じた場合の当該裂け目の判別態様を示す説明図である。
【図５】図５は本実施例１に係る丸皿状の穀粒鑑定具の穀粒鑑定時の状態を示す概略平面図である。
【図６】図６は本実施例１に係る丸皿状の穀粒鑑定具の穀粒移し替え時における状態を示す概略斜視図である。
【図７】図７は本発明の実施例２に係る四角皿状の穀粒鑑定具の平面図である。
【図８】図８は本実施例２に係る四角皿状の穀粒鑑定具の底面図である。
【図９】図９は本実施例２に係る四角皿状の穀粒鑑定具の断面図である。
【図１０】図１０は本実施例２に係る四角皿状の穀粒鑑定具において、本体に裂け目が生じた場合の当該裂け目の判別態様を示す説明図である。
【図１１】図１１は本実施例２に係る四角皿状の穀粒鑑定具の穀粒鑑定時における状態を示す概略平面図である。
【図１２】図１２は本実施例２に係る四角皿状の穀粒鑑定具の穀粒移し替え時における状態を示す概略斜視図である。
【発明を実施するための形態】
【００１８】
本発明は、本体を屈曲させることが可能で穀粒移し替え作業が簡略容易であり、床面上に落下させた場合でも割れる危険性が少なく、更に、万一本体に割れ目が生じた場合でもその判別を容易に行うことができるような穀粒鑑定具を実現し提供するという目的を、柔軟性、復元性を有する材料により皿状に形成した本体を具備する穀粒鑑定具であって、前記本体は、皿状に形成した基体と、この基体の外周を覆う帯電防止仕様で基体の内底面を覆う領域を滑面とした被覆層とを具備し、前記基体の色と被覆層の色とを異なる色とした構成により実現した。
【実施例１】
【００１９】
以下、本発明の実施例１に係る穀粒鑑定具１について図１乃至図６を参照して詳細に説明する。
【００２０】
本実施例１に係る穀粒鑑定具１は、図１乃至図３に示すように、全体として丸皿状に構成したものであり、柔軟性、復元性を有する材料により形成した丸皿状の本体２を具備している。前記本体２は、丸皿状に形成した基体２ａと、この基体２ａの外周を覆う帯電防止仕様で基体２ａの円形の内底面３を覆う領域３ａを滑面とした樹脂材を用いた被覆層（コーティング層）２ｂとを具備し、前記基体２ａの色と、前記被覆層２ｂの色とを異なる色としている。
【００２１】
前記本体２を構成する被覆層２ｂは、帯電防止仕様に構成され、また、前記被覆層２ｂの色を白色、黒色又は青色のうちのいずれかの色としている。
【００２２】
以下、本実施例１に係る穀粒鑑定具１について更に詳述する。
【００２３】
前記本体２を構成する基体２ａの材質は、例えばポリオレフィン系軟質樹脂を用いており、このポリオレフィン系軟質樹脂を成形して丸皿状とし、これにより、例えば穀粒１０の鑑定を行う作業者が手で本体２を握るとＵ状又はＶ状に折れ曲がり、握り状態を解除すると基の平坦な皿状に戻る柔軟性、復元性を有する形態としている。
【００２４】
前記本体２のサイズとしては、例えば、直径１８ｃｍ、高さ３ｃｍの大型サイズ、直径１６ｃｍ、高さ２ｃｍの中型サイズ等の例を挙げることができる。
【００２５】
前記本体２を構成する被覆層２ｂは、例えば、そのコーティング時に帯電防止剤を混入させ、又は、成形後帯電防止仕様フッ素樹脂コーティングを施して、全体として本体２に入れる穀粒１０同士が仮に帯電している場合でも静電気で付かないような帯電防止仕様としている。
【００２６】
前記本体２における基体２ａの内底面３を覆う領域３ａは、本体２を軽く揺するとこの領域３ａ上の穀粒１０が滑る程度に、滑らかな面に仕上げている。
【００２７】
これは、穀粒１０の鑑定現場において、多数の穀粒１０を見易くするため、軽く本体２を揺すって多数の穀粒１０の粒同士が重ならないように「ばらけ」させたり、穀粒１０同士の間隔を適度に離したりするためである。
【００２８】
本実施例１に係る穀粒鑑定具１においては、上述したように、前記基体２ａの外周を覆う被覆層２ｂにより形成される円形の領域３ａ、周囲壁面４、さらには、外面５を白色、黒色又は青色のうちのいずれかの色としている。
【００２９】
前記被覆層２ｂを白色とする穀粒鑑定具１を得るためには、例えば、赤色、黄色、灰色等の樹脂材により円形の基体２ａを成形した後、基体２ａの外周に無色透明の樹脂材料に白色の染顔料を加えた樹脂材をコーティングする例を挙げることができる。
【００３０】
また、前記被覆層２ｂを黒色とする穀粒鑑定具１を得るためには、例えば、赤色、黄色、灰色等の樹脂材により円形の基体２ａを成形した後、基体２ａの外周に無色透明の樹脂材料に黒色の染顔料を加えた樹脂材をコーティングする例を挙げることができる。
【００３１】
更に、前記被覆層２ｂを青色とする穀粒鑑定具１を得るためには、例えば、赤色、黄色、灰色等の樹脂材により円形の基体２ａを成形した後、基体２ａの外周に無色透明の樹脂材料に青色の染顔料を加えた樹脂材をコーティングする例を挙げることができる。
【００３２】
これらの場合に、上述したような帯電防止処理を併せて施すことは言うまでもない。
【００３３】
なお、前記本体２のサイズは、上述した場合に限定されるものではなく、その直径、高さのサイズは種々に設定することができる。
【００３４】
上述した本実施例１に係る穀粒鑑定具１によれば、以下の作用、効果を奏する。
【００３５】
すなわち、本実施例１に係る穀粒鑑定具１によれば、丸皿状の本体２における円形の内底面３を覆う領域３ａ及びその周囲の周囲壁面４を白色とすることで、例えば、穀粒である精米の病虫害に起因する着色粒の鑑定用として使用することができる。
【００３６】
また、本体２の円形の内底面３を覆う領域３ａ及びその周囲の周囲壁面４を黒色とすることで、例えば、穀粒１０の艶や整粒の程度の鑑定用として使用することができる。
【００３７】
更に、本体２の円形の内底面３を覆う領域３ａ及びその周囲の周囲壁面４を青色とすることで、例えば、穀粒１０の性状や整粒の程度の鑑定用として使用することができる。
【００３８】
次に、本実施例１に係る穀粒鑑定具１によれば、前記本体２の円形の内底面３を覆う領域３ａを滑らかな面にすることで、図５に示すように、軽く本体２を揺すって多数の穀粒１０の粒同士が重ならないように「ばらけ」させたり、穀粒１０同士の間隔を適度に離したりすることが容易となり、穀粒１０の鑑定作業の能率向上を図ることができる。
【００３９】
また、前記本体２を構成する被覆層２ｂを帯電防止仕様としたことで、本体２に入れる穀粒１０同士が仮に帯電している場合でも、静電気による穀粒１０同士の付着を防止でき、この点からも穀粒１０の鑑定作業の能率向上を図ることができる。
【００４０】
更に、前記本体２を、穀粒１０の鑑定を行う作業者が手で握ることでＵ状又はＶ状に折れ曲がり、握り状態を解除すると基の平坦な皿状に戻る柔軟性、復元性を有する形態としているので、図６に示すように穀粒１０を入れた本体２をＵ状又はＶ状に折り曲げつつ他の容器６（又は袋）へ穀粒１０を移し替えることができ、従来のようにスライダーのような器具を使用したり、一旦大きめの袋に入れた後に移し替えたりといった煩雑な手間を回避することができ、穀粒１０の鑑定作業から次の作業への移行工程の容易化、迅速化を実現できる。
【００４１】
加えて、前記本体２を柔軟性、復元性を有する形態としているので、落下等の衝撃により本体２が割れることを回避でき、穀粒１０を扱う作業現場において割れた破片の一部が穀粒１０に混入するという不都合な事態発生を無くすことができる。
【００４２】
更にまた、前記基体２ａの色と、前記被覆層２ｂの色とを異なる色としているので、図４に示すように、仮に前記本体２に度重なる屈曲による劣化や落下等の衝撃によって裂け目７（又は綻び）が生じた場合でも、裂け目７の部分において裂けた被覆層２ｂ内部の基体２ａが表出し、例えば被覆層２ｂの色が白、基体２ａの色が赤色というように明らかに異なる色として視認できるので、裂け目７の有無を容易に視認し判別でき、穀粒鑑定具１自体の交換時期の認識が容易となる。
【実施例２】
【００４３】
以下、本発明の実施例２に係る穀粒鑑定具１１について、図７乃至図１２を参照して詳細に説明する。
【００４４】
本実施例２に係る穀粒鑑定具１１は、図７乃至図９に示すように、全体として四角皿状に構成したものであり、柔軟性、復元性を有する材料により形成した四角皿状の本体１２を具備している。
【００４５】
なお、本実施例２においては、実施例１の場合と重複する説明も存在するが、本実施例２に係る穀粒鑑定具１１の内容を明確にするため、以下に詳述する。
【００４６】
前記本体１２は、四角皿状に形成した基体１２ａと、この基体１２ａの外周を覆う帯電防止仕様で基体１２の内底面１３を覆う領域１３ａを滑面とした樹脂材を用いた被覆層（コーティング層）１２ｂとを具備し、前記基体１２ａの色と、前記被覆層１２ｂの色とを異なる色としている。
【００４７】
以下、本実施例２に係る穀粒鑑定具１１について更に詳述する。
【００４８】
前記本体１２の材質は、例えば、ポリオレフィン系軟質樹脂を用いており、このポリオレフィン系軟質樹脂を成形して四角皿状とし、これにより、例えば穀粒１０の鑑定を行う作業者が手で本体１２を握るとＵ状又はＶ状に折れ曲がり、握り状態を解除すると基の平坦な皿状に戻る柔軟性、復元性を有する形態としている。
【００４９】
前記本体１２のサイズとしては、例えば、幅１８ｃｍ、奥行き１３ｃｍ、高さ２ｃｍの長方形大型、幅１２ｃｍ、奥行き８ｃｍ、高さ１ｃｍの長方形小型、幅１５ｃｍ、奥行き１５ｃｍ、高さ２ｃｍの正方形大型、幅１０ｃｍ、奥行き１０ｃｍ、高さ１ｃｍの正方形小型等の例を挙げることができる。
【００５０】
前記本体１２を構成する被覆層１２ｂは、例えば、そのコーティング時に帯電防止剤を混入させ、又は、成形後帯電防止仕様フッ素樹脂コーティングを施して、全体として本体２に入れる穀粒１０同士が仮に帯電している場合でも静電気で付かないような帯電防止仕様としている。
【００５１】
前記本体１２の四角形の内底面１３を覆う領域１３ａは、本体１２を軽く揺するとこの領域１３ａ上の穀粒１０が滑る程度に、滑らかな面に仕上げている。
【００５２】
これは、穀粒１０の鑑定現場において、多数の穀粒１０を見易くするため、軽く本体１２を揺すって多数の穀粒１０の粒同士が重ならないように「ばらけ」させたり、穀粒１０同士の間隔を適度に離したりするためである。
【００５３】
本実施例２に係る穀粒鑑定具１１においては、上述したように、前記基体１２ａの外周を覆う被覆層１２ｂにより形成される四角形の領域１３ａ、周囲壁面１４、さらには、外面１５を白色、黒色又は青色のうちのいずれかの色としている。
【００５４】
前記被覆層１２ｂを白色とする穀粒鑑定具１１を得るためには、例えば、赤色、黄色、灰色等の樹脂材により四角形の基体１２ａを成形した後、基体１２ａの外周に無色透明の樹脂材料に白色の染顔料を加えた樹脂材をコーティングする例を挙げることができる。
【００５５】
前記被覆層１２ｂを黒色とする穀粒鑑定具１１を得るためには、例えば、赤色、黄色、灰色等の樹脂材により四角形の基体１２ａを成形した後、基体１２ａの外周に無色透明の樹脂材料に黒色の染顔料を加えた樹脂材をコーティングする例を挙げることができる。
【００５６】
更に、前記被覆層１２ｂを青色とする穀粒鑑定具１１を得るためには、例えば、赤色、黄色、灰色等の樹脂材により四角形の基体１２ａを成形した後、基体１２ａの外周に無色透明の樹脂材料に青色の染顔料を加えた樹脂材をコーティングする例を挙げることができる。
【００５７】
これらの場合に、上述したような帯電防止処理を併せて施すことは言うまでもない。
【００５８】
尚、前記本体１２のサイズは、上述した場合に限定されるものではなく、その幅、奥行き、高さのサイズは種々に設定することができる。
【００５９】
上述した本実施例２に係る穀粒鑑定具１１によれば、以下の作用、効果を奏する。
【００６０】
すなわち、本実施例２に係る穀粒鑑定具１１によれば、四角皿状の本体１２における四角形の内底面１３を覆う領域１３ａ及びその周囲の周囲壁面１４を白色とすることで、例えば、穀粒である精米の病虫害に起因する着色粒の鑑定用として使用することができる。
【００６１】
また、前記本体１２の四角形の内底面１３を覆う領域１３ａ及びその周囲の周囲壁面１４を黒色とすることで、例えば、穀粒１０の艶や整粒の程度の鑑定用として使用することができる。
【００６２】
更に、前記本体１２の四角形の内底面１３を覆う領域１３ａ及びその周囲の周囲壁面１４を青色とすることで、例えば、穀粒１０の性状や整粒の程度の鑑定用として使用することができる。
【００６３】
次に、本実施例２に係る穀粒鑑定具１１によれば、前記本体１２の四角形の内底面１３を覆う領域１３ａを滑らかな面にすることで、図１１に示すように、軽く本体１２を揺すって多数の穀粒１０の粒同士が重ならないように「ばらけ」させたり、穀粒１０同士の間隔を適度に離したりすることが容易となり、穀粒１０の鑑定作業の能率向上を図ることができる。
【００６４】
また、前記本体１２を構成する被覆層１２ｂを帯電防止仕様としたことで、本体１２に入れる穀粒１０同士が仮に帯電している場合でも、静電気による穀粒１０同士の付着を防止でき、この点からも穀粒１０の鑑定作業の能率向上を図ることができる。
【００６５】
更に、前記本体１２を、穀粒１０の鑑定を行う作業者が手で握ることでＵ状又はＶ状に折れ曲がり、握り状態を解除すると基の平坦な皿状に戻る柔軟性、復元性を有する形態としているので、図１２に示すように穀粒１０を入れた本体１２をＵ状又はＶ状に折り曲げつつ他の容器６（又は袋）へ穀粒１０を移し替えることができ、従来のようにスライダーのような器具を使用したり、一旦大きめの袋に入れた後に移し替えたりといった煩雑な手間を回避することができ、穀粒１０の鑑定作業から次の作業への移行工程の容易化、迅速化を実現できる。
【００６６】
加えて、前記本体１２を柔軟性、復元性を有する形態としているので、落下等の衝撃により本体１２が割れることを回避でき、穀粒１０を扱う作業現場において割れた破片の一部が穀粒１０に混入するという不都合な事態発生を無くすことができる。
【００６７】
更にまた、前記基体１２ａの色と、前記被覆層１２ｂの色とを異なる色としているので、図１０に示すように、仮に前記本体１２に度重なる屈曲による劣化や落下等の衝撃によって裂け目７（又は綻び）が生じた場合でも、裂け目７の部分において裂けた被覆層１２ｂ内部の基体１２ａが表出し、例えば被覆層１２ｂの色が白、基体１２ａの色が赤色というように明らかに異なる色として視認できるので、裂け目７の有無を容易に視認し判別でき、穀粒鑑定具１１自体の交換時期の認識が容易となる。
【００６８】
なお、上述した実施例１、２においては、丸皿状の穀粒鑑定具１、四角皿状の穀粒鑑定具１１について説明したが、本発明における穀粒鑑定具自体の形状はこれらに限定されるものではなく、例えば楕円形状の皿、六角形状の皿等としても実施可能である。
【産業上の利用可能性】
【００６９】
本発明の穀粒鑑定具は、穀粒である精米、籾、更には、麦粒、豆粒等の品質鑑定用として広範に適用可能である。
【符号の説明】
【００７０】
１    穀粒鑑定具
２    本体
２ａ  基体
２ｂ  被覆層
３    内底面
３ａ  領域
４    周囲壁面
５    外面
６    容器
７    裂け目
１０    穀粒
１１    穀粒鑑定具
１２    本体
１２ａ  基体
１２ｂ  被覆層
１３    内底面
１３ａ  領域
１４    周囲壁面
１５    外面
【手続補正２】
【補正対象書類名】特許請求の範囲
【補正対象項目名】全文
【補正方法】変更
【補正の内容】
【特許請求の範囲】
【請求項１】
柔軟性、復元性を有する材料により皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記基体の色と被覆層の色とを異なる色としたことを特徴とする穀粒鑑定具。
【請求項２】
柔軟性、復元性を有する材料により皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記被覆層を白色、黒色又は青色のうちのいずれかの色とし、前記基体の色を前記被覆層の色とは異なる色としたことを特徴とする穀粒鑑定具。
【請求項３】
柔軟性、復元性を有する材料により丸皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記被覆層を白色、黒色又は青色のうちのいずれかの色とし、前記基体の色を前記被覆層の色とは異なる色としたことを特徴とする穀粒鑑定具。
【請求項４】
柔軟性、復元性を有する材料により四角皿状に形成した本体を具備する穀粒鑑定具であって、
前記本体は、
皿状に形成した基体と、
この基体の外周を覆う帯電防止仕様で基体の内底面を覆う領域を滑面とした被覆層とを具備し、
前記被覆層を白色、黒色又は青色のうちのいずれかの色とし、前記基体の色を前記被覆層の色とは異なる色としたことを特徴とする穀粒鑑定具。